(57)【要約】【課題】ユーザの誰もが被撮影領域の欠けのない同レベルの被写体画像の撮影を行うことができる被写体の正確な位置合わせが容易な撮影補助器具を提供する。【解決手段】平面状の被撮影領域を有する被写体の撮影に用いる撮影補助器具１であって、カメラの機能を有する電子機器を装着可能な本体部と、被写体を保持する被写体保持部３００と、本体部と被写体保持部３００とを所定の間隔を保つように本体部及び被写体保持部を支持するスタンド部とを備える。被写体保持部３００は、被写体を所定の位置に位置決めする被写体位置決め部３０１を有する。上記本体部は筺体１００及びカメラホルダ２００を備える。【選択図】図１
2010049004.tif 000002
【特許請求の範囲】
【請求項１】
平面状の被撮影領域を有する被写体の撮影に用いる撮影補助器具であって、
カメラの機能を有する電子機器を装着可能な本体部と、
該被写体を保持する被写体保持部と、
該本体部と該被写体保持部とを所定の間隔を保つように該本体部及び該被写体保持部を支持するスタンド部とを備え、
上記被写体保持部は、上記被写体を所定の位置に位置決めする被写体位置決め部を有することを特徴とする撮影補助器具。
【請求項２】
請求項１の撮影補助器具において、
上記被写体位置決め部は上記被写体の端部を押さえる押さえ手段を有することを特徴とする撮影補助器具。
【請求項３】
請求項１又は２の撮影補助器具において、
上記被写体保持部は、貫通孔を有する板状部材で形成されていることを特徴とする撮影補助器具。
【請求項４】
請求項１、２又は３の撮影補助器具において、
上記スタンド部は、上記被写体保持部をスライド可能に支持することを特徴とする撮影補助器具。
【請求項５】
請求項４の撮影補助器具において、
上記スタンド部は、上記被写体保持部を位置決めする位置決め手段を備えたことを特徴とする撮影補助器具。
【発明の詳細な説明】
【技術分野】
【０００１】
本発明は、デジタルカメラ、カメラ付携帯機器、フィルムカメラ、ビデオカメラ、Ｗｅｂカメラなどのカメラ機能を有する電子機器を用いて被写体を撮影する際に当該電子機器とともに用いられる撮影補助器具に関するものである。
【背景技術】
【０００２】
携帯電話機の加入申込契約や不動産売買契約などの各種取引契約の際に、契約者本人が真の本人であるかどうか、つまり契約者が他人の名を騙ったり、架空の名前を騙ったりしていないかどうかを確認するための本人確認が重要である。
【０００３】
店舗や事務所で取引契約する場合には、本人を確認する書類として例えば自動車運転免許証やパスポートなどの身分証明書を備付けのコピー機を用いてコピーすればよい。しかし、携帯電話機の加入申込契約を顧客先で行う場合や、携帯電話機の販促活動として駅前広場の一角に机を置いて加入申込契約をする場合、不動産業者が客先で不動産売買契約を締結する場合などは、コピー機がないため身分証明書のコピーができない場合がある。この場合には、携帯電話機のカメラ機能を使用して撮影したり、デジタルカメラで撮影したりすることが考えられる。これらのカメラの機能を有する電子機器を用いて身分証明書を撮影する場合には、身分証明書等のシート状の被写体と当該電子機器のカメラとの距離が短く、いわゆるマクロ撮影（接写）を行うことになる。ところが、このマクロ撮影では手ブレの影響を受けやすいうえに、カメラを被写体に対して常に水平に保持することが難しく、撮影した画像がブレたりピントがぼけたりしやすい。また、上記身分証明書等のシート状の被写体の被撮影域をカメラの撮影領域内に入るようにカメラを被写体に対して保持することが難しく、被写体の被撮影領域の一部が欠けた画像になりやすい。そのため、上記電子機器のカメラを操作するユーザの誰もが、上記身分証明書を常に安定した画像品質からなる同レベルの撮影を行うことが難しい。そこで、上記カメラの機能を有する電子機器とは別の筺体である撮影補助器具を用いて被写体との距離を一定に保つように当該電子機器を保持することが考えられる。
【０００４】
従来、被写体との距離を一定に保つことができる撮影補助器具として、被写体の被撮影領域に光を照射するとともに被写体の被撮影領域からカメラに向かう方向に対して透光性を有する平面光源と被写体の被撮影領域への周囲光の入射を低減する遮光フードとを備えた撮影補助装置が開示されている（特許文献１参照）。上記遮光フードの下部先端開口部は、平面光源の上面と略同一サイズであり、平面光源の上面と一致するように貼り合わされている。また、上記遮光フードの上部先端開口部は、被写体とカメラとの距離（カメラの高さ）を一定に保つようにカメラを支持するカメラ支持体として機能する。この撮影補助装置は、遮光フードの下部先端開口部側にある平面光源が被写体の被撮影領域を覆うようにユーザによって配置される。
【特許文献１】特開２００５−１８１５９８号公報
【発明の開示】
【発明が解決しようとする課題】
【０００５】
しかしながら、上記特許文献１に記載の撮影補助装置では、上記平面光源が被写体の被撮影領域を覆うように当該撮影補助装置を配置したとしても、カメラが実際に撮影する撮影領域とユーザが撮影したい被写体の被撮影領域とがずれ、被写体の被撮影領域の一部が欠けてしまうおそれがある。そのため、ユーザの誰もが被撮影領域の欠けのない同レベルの被写体画像の撮影を行うことが難しいという問題点がある。
【０００６】
本発明は以上の問題点に鑑みなされたものであり、その目的は、ユーザの誰もが被撮影領域の欠けのない同レベルの被写体画像の撮影を行うことができる被写体の正確な位置合わせが容易な撮影補助器具を提供することである。
【課題を解決するための手段】
【０００７】
本発明に係る撮影補助器具は、平面状の被撮影領域を有する被写体の撮影に用いる撮影補助器具であって、カメラの機能を有する電子機器を装着可能な本体部と、該被写体を保持する被写体保持部と、該本体部と該被写体保持部とを所定の間隔を保つように該本体部及び該被写体保持部を支持するスタンド部とを備え、上記被写体保持部は、上記被写体を所定の位置に位置決めする被写体位置決め部を有する。
上記撮影補助器具において、上記被写体保持部は上記被写体の端部を押さえる押さえ手段を有してもよい。
また、上記撮影補助器具において、上記被写体保持部は、貫通孔を有する板状部材で形成してもよい。
また、上記撮影補助器具において、上記スタンド部は、上記被写体保持部をスライド可能に支持してもよい。
また、上記撮影補助器具において、上記スタンド部は、上記被写体保持部を位置決めする位置決め手段を備えてもよい。
また、上記撮影補助器具において、上記被写体の被撮影領域への周囲光の入射を低減する入射光低減手段を備えてもよい。
また、上記撮影補助器具において、上記電子機器から上記被写体の被撮影領域へのフラッシュの閃光を拡散する光拡散手段を備えてもよい。
また、上記撮影補助器具において、上記スタンド部は、上記本体部へ収容可能に構成してもよい。
【発明の効果】
【０００８】
本発明によれば、被写体位置決め部が被写体を被写体保持部の所定の位置に位置決めし、スタンド部が電子機器を装着した本体部と被写体保持部とを所定の間隔を保つように支持するので、被写体保持部に被写体を保持すると、被写体は電子機器と所定の間隔を保った状態で被写体の被撮影領域が当該電子機器の撮影領域に正確に位置決めされる。この状態で撮影することにより、被写体の被撮影領域の欠けやブレ、ピンぼけのない良好な画像を撮影することができる。従って、ユーザの誰もが被撮影領域の欠けのない同レベルの被写体画像の撮影を行うことができる被写体の正確な位置合わせが容易な撮影補助器具を提供することができるという優れた効果がある。
【発明を実施するための最良の形態】
【０００９】
以下、本発明の一実施形態について図面を参照して説明する。
図１は、本発明に係る撮影補助器具の外観図である。本実施形態の撮影補助器具１は、平面状の被撮影領域を有する被写体の撮影に用いる撮影補助器具であって、カメラの機能を有する電子機器を装着可能な本体部と、被写体を保持する被写体保持部３００と、本体部と被写体保持部３００とを所定の間隔を保つように本体部及び被写体保持部３００を支持するスタンド部とを備え、被写体保持部３００は、被写体を所定の位置に位置決めする被写体位置決め部としての位置決め凹部３０１を有する。上記本体部は筺体１００及びカメラホルダ２００を備える。また、上記スタンド部は、一対の左スタンド４００及び右スタンド４１０を備えている。
【００１０】
上記筺体１００は、Ｃ型チャンネル形状からなり、内部にカメラホルダ２００と、一対の左スタンド４００及び右スタンド４１０が取り付けられている。また、これらの左右スタンド４００、４１０に被写体保持部３００が取り付けられている。被写体保持部３００は、筺体１００との平行を保ったまま図中上下方向にスライド移動可能に構成されており、被写体の大きさに応じてスライド量を調整することができる。筺体１００にはカメラホルダ２００のアタッチメント２０３に対向する位置に撮影孔１０４（図５参照）が形成され、カメラで被写体を撮影できるようになっている。
【００１１】
上記筺体１００の各角部はデザイン上又は安全上の観点から丸面取りされている。筺体１００は、次のように製造することができる。例えば、板厚２．０ｍｍの溶融亜鉛めっき鋼板（ＳＧＣＣ）を所定の形状にカットする。そして、２箇所の直径φ３．２ｍｍ左スタンド支持孔１０１と、２箇所の直径φ３．２ｍｍ右スタンド支持孔１０２と、左スタンド４００が嵌合する２箇所の幅４．２ｍｍＵ時型切欠き部１０３と、右スタンド４１０が嵌合する２箇所の幅４．２ｍｍＵ時型切欠き部（不図示）と、１箇所の直径φ２０ｍｍ撮影孔１０４（図５参照）と、２箇所の図示しない直径φ２．５ｍｍカメラホルダ取付孔とを加工する。その後、Ｃチャンネル型に折り曲げる板金加工を施して形成されている。この筺体１００には、Ｃチャンネル型の内側にカメラホルダ２００が２本のなべネジ１５０（一部不図示）で図中下側からネジ止めされ、２箇所の左スタンド支持孔１０１に左スタンド４００がこれら支持孔を中心に約２７０度回転可能に支持されている。また同様に、２箇所の右スタンド支持孔１０２（一部不図示）に右スタンド４１０がこれら支持孔を中心に約２７０度回転可能に支持されている。
【００１２】
上記カメラホルダ２００は、デジタルカメラ、カメラ付携帯電話器、フィルムカメラ、ビデオカメラなどのカメラ機能を有する電子機器を保持する部品であって、撮影時に電子機器が動かないように確実に保持する。このカメラホルダ２００は上記筺体１００に脱着可能に構成されているので、電子機器の形状に応じて複数種類用意しておくことにより、交換して各種の電子機器で撮影が可能となる。
【００１３】
上記カメラホルダ２００は、次のように製造することができる。例えば、板厚２．０ｍｍの溶融亜鉛めっき鋼板（ＳＧＣＣ）を所定の形状にカットする。そして、上記筺体１００に取り付けた時に上記撮影孔１０４と対向するアタッチメント取付孔２０１と、２箇所のＭ２取付タップ２０２（一部不図示）とを加工した後、図示の形状に折り曲げる板金加工する。カメラホルダ２００の図中左側端部２０５等の部分は、カメラを位置決めする際のガイドの役割を持っている。各端部はデザイン上又は安全上の観点から外側に折り曲げられている。板金加工後に、例えばＡＢＳ樹脂からなるアタッチメント２０３と、例えばウレタンからなる一対のウレタンパッド２０４とを取り付ける。この一対のウレタンパッド２０４はカメラ機能付電子機器の滑り止めの役割を果たす。また、上記アタッチメント２０３には必要に応じてレンズを組み込んでもよい。
【００１４】
上記被写体保持部３００は、貫通孔としての取外し孔３０２を有する板状部材で形成されている。この取外し孔３０２を介して被写体の裏側を指等で押すことにより、被写体を被写体保持部３００から容易に取り外すことができる。また、被写体保持部３００は、上記被写体位置決め部としての位置決め凹部３０１のほか、被写体の端部を押さえる押さえ手段としての一対の被写体サポート３０５と、上記一対の左右スタンド４００、４１０に対してスライド可能に支持できるように一対の左ストッパ３０６及び一対の右ストッパ（不図示）とを備えている。上記被写体サポート３０５からなる押さえ手段により、パスポート等の冊子状の被写体を撮影するときに、冊子を開いた状態で撮影ページの端部を押さえて固定して撮影することができる。また、上記左右スタンド４００、４１０が被写体保持部３００をスライド可能に支持することにより、電子機器を装着した本体部と被写体との間隔を調整して撮影領域を変化させ、様々なサイズの被写体を撮影することができる。つまり、サイズが小さい被写体の場合には本体部と被写体との間隔を狭めて撮影し、逆にサイズが大きい被写体の場合には当該間隔を広めて撮影することができる。
【００１５】
上記スタンド部としての左右スタンド４００、４１０が被写体保持部３００をスライド可能に支持することにより、電子機器を装着した本体部と被写体との間隔を調整して撮影領域を変化させ、様々なサイズの被写体を撮影することができる。つまり、サイズが小さい被写体の場合には本体部と被写体との間隔を狭めて撮影し、逆にサイズが大きい被写体の場合には当該間隔を広めて撮影することができる。また、左右スタンド４００、４１０は、左右スタンド４００、４１０に対して被写体保持部３００を位置決めする位置決め手段を備えている。この位置決め手段は、左スタンド４００の第一ポジション位置決め段差４０２及び第二ポジション位置決め段差４０３と、右スタンド４１０の第一ポジション位置決め段差（不図示）及び第二ポジション位置決め段差４１３とにより構成されている。この左右スタンド４００、４１０の位置決め手段により、自動車運転免許証やパスポートなど所定の大きさの被写体に対して、本体部との間隔を所定の大きさに設定できる。これにより、本体部と被写体との間隔を容易に設定でき、ユーザがより使いやすい撮影補助器具を提供できる。
【００１６】
上記位置決め凹部３０１は自動車運転免許証や健康保険証が収まる大きさに形成されている。また、上記一対の被写体サポート３０５はパスポートの見開き片側ページを挟み込んで固定することができるようになっている。また、上記一対の左ストッパ３０６は、左スタンド４００と嵌合する２箇所のＵ時型切欠き部３０３の下側部分に揺動可能に取り付けられており、それぞれ矢印３０６ａ、３０６ｂの方向に図示しないバネで付勢され、左スタンド４００の第一ポジション位置決め段差４０２又は第二ポジション位置決め段差４０３に係合する。また同様に、図示しない一対の右ストッパが右スタンド４１０と嵌合する２箇所のＵ字型切欠き部３０４の下側部分に揺動可能に取り付けられており、それぞれ図示しないバネで付勢され、右スタンド４１０の図示しない第一ポジション位置決め段差又は第二ポジション位置決め段差４１３に係合する。これにより、被写体保持部３００は、筺体１００と所定の間隔を保った状態で、左スタンド４００と右スタンド４１０とにより保持される。
【００１７】
上記被写体保持部３００の各角部はデザイン上又は安全上の観点から丸面取りされている。被写体保持部３００は、次のように製造することができる。例えば、板厚２．０ｍｍの溶融亜鉛めっき鋼板（ＳＧＣＣ）を所定の形状にカットする。そして、位置決め凹部３０１と、この位置決め凹部３０１に直径φ３０ｍｍの取外し孔３０２と、上記左スタンド４００が嵌合する２箇所の幅４．２ｍｍＵ時型切欠き部３０３と、上記右スタンド４１０が嵌合する２箇所の幅４．２ｍｍＵ時型切欠き部３０４（一部不図示）とを板金加工する。板金加工後に、例えばＡＢＳ樹脂からなる断面略Ｌ字型の一対の被写体サポート３０５と、被写体保持部３００を左スタンド４００に固定する一対の左ストッパ３０６及びバネ（不図示）と、被写体保持部３００を右スタンド４１０に固定する図示しない一対の右ストッパ及びバネとを取り付ける。上記一対の被写体サポート３０５は個別部品としたが、被写体保持部３００に切りおこしの板金加工を施して被写体保持部３００に一体で形成してもよい。
【００１８】
なお、上記筺体１００、カメラホルダ２００、及び被写体保持部３００の材質は上記溶融亜鉛めっき鋼板に限らずアルミニウムやステンレスでも良く、加工後に必要に応じて表面処理を施すことができる。また、高強度樹脂の成形品でもよい。また、上記加工寸法は一例であってこれに限るものではない。
【００１９】
上記左スタンド４００は筺体１００の２箇所の左スタンド支持孔１０１を中心にして矢印４０４の方向に約２７０度回転可能に支持され、図中二点鎖線で示す場合には筺体１００に収納できるようになっている。また、右スタンド４１０も左スタンド４００と同様な構成になっている。
【００２０】
図１の例では、左スタンド４００の第一ポジション位置決め段差４０２に被写体保持部３００の左ストッパ３０６が係合し、同様に右スタンド４１０の第一ポジション位置決め段差に被写体保持部３００の右ストッパ（いずれも図示せず）が係合している。これにより被写体保持部３００はカメラで自動車運転免許証や健康保険証を撮影するのに適した第一ポジションで固定される。
【００２１】
上記左スタンド４００は、次のように製造することができる。例えば、直径φ４ｍｍのＳＵＳ３０４ステンレス丸棒を、両端から約２．５ｍｍの先端部分４０１（一部不図示）と、２箇所の第一ポジション位置決め段差４０２（一部不図示）と、２箇所の第二ポジション位置決め段差４０３との部分を直径φ３ｍｍに切削加工する。切削加工後、図示するように先端部４０１が外側に向いた略コの字型形状となるように４箇所に９０度曲げ加工を施す。この曲げ加工により、左スタンド４００は長手方向の中心鉛直軸に対し左右対称に形成される。また、右スタンド４１０も左スタンド４００と同様に形成される。これら左スタンド４００及び右スタンド４１０の材質は上記ステンレスに限らずアルミニウムや鉄でも良く、加工後に必要に応じて表面処理を施すことができる。また、上記加工寸法は一例であってこれに限るものではない。
【００２２】
次に、カメラ機能を有する電子機器としてカメラ付の携帯電話機５００を用いた場合の使用例を説明する。図２は、撮影補助器具１の使用状態の一例を示す説明図である。図２において図１と同一の部分には同一の符号を付し詳細な説明を省略する。
【００２３】
まず、あらかじめ携帯電話機５００をマクロ写真撮影モードにしておく。そして、携帯電話機５００の図示しないカメラレンズを下向きにして、カメラホルダ２００のアタッチメント２０３に重ね合わせながら、携帯電話機側面５００ｓをストッパ部２０５の内面側に当接させて、一対のウレタンパッド２０４の上に置く。
次に、被写体保持部３００の位置決め凹部３０１に、被写体として例えば自動車運転免許証６００を載せる。このとき、被写体保持部３００が一対の左スタンド４００、右スタンド４１０の第一ポジションに位置決めされていることを確認する。図２に示すように被写体保持部３００が第一ポジションに位置している場合には、携帯電話機５００が自動車運転免許証６００に対して水平に保たれるとともに、自動車運転免許証６００が携帯電話機５００の撮影領域に収まるようになっている。
この状態でユーザが携帯電話機５００のシャッターボタン５０１を押下すると、自動車運転免許証６００が撮影される。このように、ユーザは撮影前にカメラのピント合わせをしたり、モニタで画像を確認したりしなくてもよく、簡単な操作で手ブレやピンぼけ、若しくは画像欠けのない良好な撮影画像を得られる。撮影した画像は携帯電話機５００の図示しないメモリに保存されるので、店舗や事務所に戻ってからパソコン等に接続して、データとして保存したり、プリントアウトして書面として保存したりすればよい。
撮影後は、取外し孔３０２に下から指を入れて自動車運転免許証６００を押し上げることにより、容易に位置決め凹部３０１から自動車運転免許証６００を取外すことができる。
【００２４】
次に、被写体として自動車運転免許証６００よりも大きいパスポートを撮影する場合について説明する。図３は、撮影補助器具１を用いてパスポートを撮影する状態の説明図である。まず、図２に示す状態で、被写体保持部３００の一対の左ストッパ３０６を図示しないバネの付勢力に抗してそれぞれ矢印３０６ｃ、３０６ｄ方向に広げると、一対の左ストッパ３０６と左スタンド４００の第一ポジション位置決め段差４０２（一部不図示）との係合が解除される。同様に右スタンド４１０のいずれも図示しない第一ポジション位置決め段差から一対の右ストッパの係合を解除する。これにより被写体保持部３００は、左スタンド４００と右スタンド４１０との係合が解除され、鉛直上下方向にスライド可能となるので、被写体保持部３００を下方に押し下げる。被写体保持部３００を一対の左ストッパ３０６が左スタンド４００の第二ポジション位置決め段差４０３まで押し下げると、一対の左ストッパ３０６は図示しないバネの付勢力により第二ポジション位置決め段差４０３に係合する。同様に右スタンド４１０の第二ポジション位置決め段差４１３に図示しない一対の右ストッパが係合する。これにより被写体保持部３００は、左スタンド４００と右スタンド４１０との第二ポジションに固定される。
そして、図３に示すように被写体保持部３００が第二ポジションに位置している状態で、一対の被写体サポート３０５にパスポート６０１の見開き片側ページを挟み込む。すると携帯電話機５００がパスポート６０１の見開き片側ページに対して水平に保たれるとともに、このページが携帯電話機５００の撮影領域に収まる。
この状態でユーザが携帯電話機５００のシャッターボタン５０１を押下すると、パスポート６０１が撮影される。このように、被写体保持部３００を押し下げて第二ポジションにセットするだけの簡単な操作で自動車運転免許証６００よりも大きいパスポート６０１を撮影することができる。
【００２５】
マクロ撮影では外部照明（太陽光や部屋の蛍光灯など）の写り込みなど、周囲の照明環境の影響を受けやすい。例えば屋外で太陽光が直接被写体を照らすと、被写体の表面が光って露光ムラが生じ撮影した画像が白っぽくなったり、自動逆光補正機能付のカメラでは逆に暗い画像になったりする。そこで、本実施形態に係る撮影補助器具１では、側面の全面を覆うように半透明の遮光フードを備えるのが好ましい。
【００２６】
図４は、被写体の被撮影領域への周囲光の入射を低減する入射光低減手段としての遮光フードの一例を示す説明図である。この入射光低減手段としての遮光フード７００は撮影補助器具１の全側面を覆うように形成されており、例えば乳白色のアクリルシートからなる。使用しないときは折り畳んで筺体１００の内部に収納できるようになっている。
【００２７】
図４に示すように、撮影補助器具１の全側面を覆うように遮光フード７００を上からかぶせる。これにより太陽光や蛍光灯などの外部照明の入射を低減し、被写体であるパスポート６０１の撮影領域をほぼ均等な照度で照らすことができ、露光ムラを防いで良好な画像を撮影することができる。
【００２８】
なお、遮光フード７００は、半透明でなくても外部照明の写り込みの影響が大きくならない程度に外光の入射を低減できるものであればよいので、遮光フード７００を透明な部材によって構成しても遮光フード７００の表面反射によって被写体への外光の入射がかなり低減されるため、遮光フード７００は透明であってもよい。
【００２９】
屋外で夜に撮影する場合や、屋内撮影でも照明が暗い場合がある。このような場合にはカメラのフラッシュを用いて撮影することが可能である。しかし、マクロ撮影では極めて近距離から被写体に向けて閃光が照射されることとなり、出射光量を制御することや撮影領域全体にムラなく光を照射させることが難しくなる。このため、撮影画像に露光ムラが生じやすくなる。そこで、本実施形態に係る撮影補助器具では、フラッシュの出射口に対応する部分に、電子機器から被写体の被撮影領域へのフラッシュの閃光を拡散する光拡散手段を設けるのが好ましい。
【００３０】
図５は、筺体１００の上面図である。筺体１００には、フラッシュ出射孔１０５が形成され、このフラッシュ出射孔１０５の上部を覆うように上記光拡散手段としての光拡散部材１０６が設けられている。光拡散部材１０６は、例えば透明若しくは乳白色のアクリル板からなる。なお、カメラホルダ２００にも携帯電話機５００のフラッシュに対向する位置であって、かつ、筺体１００のフラッシュ出射孔１０５に対向する位置に孔が形成されている。カメラのフラッシュから出射された閃光は光拡散部材１０６を通過する際に、拡散されて弱められソフトな光となって撮影領域全体にムラなく照射される。これにより、暗いところでも撮影可能で、しかも露光ムラのない良好な撮影画像が得られる。
【００３１】
図６は、撮影補助器具１を収容した状態を示す説明図である。本実施形態に係る撮影補助器具１は使用しないときはコンパクトに収容することができる。撮影補助器具１にカメラと被写体がない状態で、まず、被写体保持部３００を左スタンド４００と右スタンド４１０から取外す。そして、左スタンド４００と右スタンド４１０とをそれぞれ約２７０度回転させて筺体１００に収容する。これらのスタンドの上に遮光フード７００を折り畳んで置き、最後に被写体保持部３００を筺体１００に載せて蓋をする。このように簡単な操作でコンパクトに収納できるので、持ち運びに便利である。
【００３２】
〔変形例１〕
上記実施形態では被写体として自動車運転免許証やパスポートなどを撮影する撮影補助器具について説明したが、Ａ４用紙などさらに大きな被写体を撮影することもできる。
【００３３】
図７及び図８は、Ａ４サイズの被写体を撮影する撮影補助器具の一例を示す説明図である。本変形例に係る撮影補助器具１は上記実施形態１の撮影補助器具に比べ、筺体１００と、被写体保持部３００と、左スタンド４００及び右スタンド４１０の長さを長くしている。これにより、カメラと被写体との間隔が広がり、Ａ４サイズの被写体等の大サイズの被写体を撮影領域内に収めて撮影することができる。
【００３４】
図７に示すように筺体１００には左スタンド４００を撮影位置で固定するための一対の左ストッパ１０７と、右スタンド４１０を撮影位置で固定するための図示しない一対の右ストッパとが設けられており、撮影補助器具１の撮影姿勢を安定して維持できる。この状態で、左スタンド４００と右スタンド４１０との間隔はＡ４サイズの長手方向が収まる長さに設定されている。
【００３５】
また、図８に示すように、被写体保持部３００の長手方向の上面端部に被写体位置決め部として４個のスタンド合わせマーク３１０と、４個のＡ４被写体合わせマーク３１１とが刻印されている。図中左側の２個のスタンド合わせマーク３１０の幅は左スタンド４００及び右スタンド４１０の幅と同一であり、被写体保持部３００の長手方向に対して中心振り分けの位置に刻印されている。また、図中左側の２個のＡ４被写体合わせマーク３１１の幅はＡ４サイズ用紙の短手方向の長さと同一であり、被写体保持部３００の長手方向に対して中心振り分けの位置に刻印されている。なお、図中右側に刻印されたスタンド合わせマーク３１０とＡ４被写体合わせマーク３１１も同様に刻印されている。つまり、被写体保持部３００の長手方向に対して左右対称の位置にそれぞれスタンド合わせマーク３１０とＡ４被写体合わせマーク３１１とが刻印されている。
【００３６】
この撮影補助器具１でＡ４サイズの被写体（以下「Ａ４被写体」という。）６０３を撮影する場合には、図８に示すように、被写体保持部３００を左スタンド４００と右スタンド４１０とから取外し、被写体保持部３００の左側のスタンド合わせマーク３１０を右スタンド４１０の幅に合わせながら外側に置く。そして、Ａ４被写体６０３の短手方向端部をＡ４被写体合わせマーク３１１に合わせて置く。これにより、Ａ４被写体６０３は、撮影補助器具１の中央部に位置決めされる。そして、携帯電話機５００のシャッターボタン５０１を押下して撮影する。外部照明の影響を受けるような場合には、撮影補助器具１の側面とＡ４被写体６０３を覆う大きさの遮光フードを用いればよい。図示の例では、被写体保持部３００を右スタンド４１０の外側に置いてＡ４被写体６０３を位置決めする方法について説明したが、被写体保持部３００を左スタンド４００の外側に置いてＡ４被写体６０３を位置決めしてもよい。
【００３７】
以上、本実施形態によれば、ユーザの誰もが被撮影領域の欠けのない同レベルの被写体画像の撮影を行うことができる被写体の正確な位置合わせが容易な撮影補助器具を提供することができる。
【図面の簡単な説明】
【００３８】
【図１】本実施形態に係る撮影補助器具の外観構成の一例を示す説明図。
【図２】カメラ付携帯電話機で自動車運転免許証を撮影する状態の説明図。
【図３】カメラ付携帯電話機でパスポートを撮影する状態を示す説明図。
【図４】遮光フードを示す説明図。
【図５】フラッシュ光用の光拡散部材を設けた状態を示す説明図。
【図６】撮影補助器具を収納した状態を示す説明図。
【図７】変形例に係る撮影補助器具の外観構成の一例を示す説明図。
【図８】変形例に係る撮影補助器具で大サイズの被写体を撮影する状態を示す説明図。
【符号の説明】
【００３９】
１      撮影補助器具
１００  筺体
１５０  なべネジ
２００  カメラホルダ
３００  被写体保持部
３０１  位置決め凹部
３０２  取外し孔
３１０  スタンド合わせマーク
３１１  Ａ４被写体合わせマーク
４００  左スタンド
４１０  右スタンド
５００  カメラ付携帯電話機
６００  自動車運転免許証（被写体）
６０１  パスポート
６０３  Ａ４被写体
７００  遮光フード
【図１】
2010049004.tif 000003
【図２】
2010049004.tif 000004
【図３】
2010049004.tif 000005
【図４】
2010049004.tif 000006
【図５】
2010049004.tif 000007
【図６】
2010049004.tif 000008
【図７】
2010049004.tif 000009
【図８】
2010049004.tif 000010